(57)【要約】【課題】回転電機の回転子と共に回転する電気接続部に摺動しつつ接触するブラシの温度上昇を抑えるブラシ装置を提供する。【解決手段】ブラシ装置１００は、回転電機１の第一ロータ１１と共に回転するスリップリング３０のスリップリング板３２ａに接触するブラシ１０７ａ、１０７ｂ及び１０７ｃと、ブラシ１０７ａ、１０７ｂ及び１０７ｃをそれぞれスライド可能に収容するブラシ保持部１０４ａ、１０４ｂ及び１０４ｃとを備える。ブラシ保持部１０４ａ、１０４ｂ及び１０４ｃはそれぞれ、ブラシと隣接する側壁１０４ａ４、１０４ｂ４及び１０４ｃ４に、この側壁を貫通する貫通穴１０４ａ５、１０４ｂ５及び１０４ｃ５を有する。【選択図】図２
2014045623.tif 000002
【特許請求の範囲】
【請求項１】
回転電機の回転子と共に回転する電気接続部と接触するブラシと、
前記ブラシをスライド可能に収容するブラシ保持部と
を備えるブラシ装置において、
前記ブラシ保持部は、前記ブラシと隣接する少なくとも１つの壁部に、前記壁部を貫通する少なくとも１つの開口部を有するブラシ装置。
【請求項２】
前記ブラシ保持部は、前記ブラシと隣接する少なくとも１つの壁部に、複数の板状の放熱フィンを有する請求項１に記載のブラシ装置。
【請求項３】
前記放熱フィンは、前記ブラシ保持部に向かって流れる冷却用の気体の流通方向に沿って延在する請求項２に記載のブラシ装置。
【請求項４】
前記ブラシ及び前記ブラシ保持部は複数設けられ、
前記複数のブラシは、前記電気接続部の回転中心軸に沿って互いに離れた位置で前記電気接続部と接触する複数のブラシ群を形成し、
前記ブラシ群の前記ブラシの前記ブラシ保持部は、他の前記ブラシ群の前記ブラシの前記ブラシ保持部に対して、前記回転中心軸を中心とする周方向にずれて配置される請求項１〜３のいずれか一項に記載のブラシ装置。
【発明の詳細な説明】
【技術分野】
【０００１】
この発明は、回転電機の回転子の電気接続部に接触するブラシを備えるブラシ装置に関する。
【背景技術】
【０００２】
回転電機の回転子は、回転電機の外部との間で電力の需給を行うが、この電力の需給は、回転子に備えられた整流子、スリップリング等の電気接続部に、外部のインバータ、バッテリ等の電気機器と電気的に接続されたブラシを接触させることによって行われる。ブラシは、回転子と共に回転する電気接続部に対して押圧され、電気接続部と摺動しつつ接触状態を維持するため、発熱する。しかしながら、ブラシは、その温度が所定の温度以上に上昇すると、摩耗量が劇的に増加して耐摩耗性が急激に大きく低下するため、耐久性が低下する。このため、ブラシを冷却する様々な技術が提案されている。
【０００３】
例えば特許文献１には、車両用交流発電機の回転軸と一体に回転するスリップリングに摺動しつつ接触するブラシを収納するブラシホルダと、ブラシホルダと共にスリップリングの外周を覆うスリップリングカバーとを組み付けたブラシ装置が記載されている。ブラシホルダは、ブラシを収納するためのブラシ収納部と、ブラシに電気的に接続されたブラシリードを収納するためのブラシリード収納部とが形成された箱部（箱状体）を備えている。さらに、箱部には、ブラシリード収納部に連通する通気穴が形成されており、また、ブラシリード収納部は、スリップリングの外周を覆う部位で開口している。これにより、外部からの通気が、通気穴を経由してブラシリード収納部に導入され、導入された通気は、スリップリングに向かって排出される。ブラシリード収納部内のブラシリードは、ブラシリード収納部を通過する通気によって冷却され、この結果、ブラシリードに接続されたブラシの温度も低下する。
【先行技術文献】
【特許文献】
【０００４】
【特許文献１】特開２００９−１７７９９３号公報
【発明の概要】
【発明が解決しようとする課題】
【０００５】
しかしながら、特許文献１に記載されるブラシ装置では、ブラシが間接的に冷却されるため、ブラシ温度を十分に低下させることができない。さらに、ブラシは、その大部分が箱部によって覆われていて、外部からの通気に曝される部位が少ないため、温度が上昇しやすい。よって、ブラシの耐久性を低下させるような温度以下にブラシ温度を維持することが難しいという問題がある。
【０００６】
この発明は上記のような問題を解決するためになされたものであり、回転電機の回転子と共に回転するスリップリング（電気接続部）に摺動しつつ接触するブラシの温度上昇を抑えるブラシ装置を提供することを目的とする。
【課題を解決するための手段】
【０００７】
上記の課題を解決するために、この発明に係るブラシ装置は、回転電機の回転子と共に回転する電気接続部と接触するブラシと、ブラシをスライド可能に収容するブラシ保持部とを備えるブラシ装置において、ブラシ保持部は、ブラシと隣接する少なくとも１つの壁部に、壁部を貫通する少なくとも１つの開口部を有する。
【０００８】
また、ブラシ保持部は、ブラシと隣接する少なくとも１つの壁部に、複数の板状の放熱フィンを有してもよい。
さらに、放熱フィンは、ブラシ保持部に向かって流れる冷却用の気体の流通方向に沿って延在してもよい。
また、上記ブラシ装置において、ブラシ及びブラシ保持部は複数設けられ、複数のブラシは、電気接続部の回転中心軸に沿って互いに離れた位置で電気接続部と接触する複数のブラシ群を形成し、ブラシ群のブラシのブラシ保持部は、他のブラシ群のブラシのブラシ保持部に対して、回転中心軸を中心とする周方向にずれて配置されてもよい。
【発明の効果】
【０００９】
この発明に係るブラシ装置によれば、回転電機の回転子と共に回転する電気接続部に摺動しつつ接触するブラシの温度上昇を抑えることが可能になる。
【図面の簡単な説明】
【００１０】
【図１】この発明の実施の形態１に係るブラシ装置及びその周辺の構成を示す模式断面側面図である。
【図２】図１のＩＩ−ＩＩ線に沿った断面図であり、ブラシ装置の第一極のみを示すものである。
【図３】図１のＩＩＩ−ＩＩＩ線に沿った断面図であり、ブラシ装置の第一極〜第三極を示すものである。
【図４】図２のＩＶ−ＩＶ線に沿った断面図である。
【図５】この発明の実施の形態２に係るブラシ装置の構成を図２と同様にして示す断面図である。
【図６】図５のＶＩ−ＶＩ線に沿った断面図である。
【図７】この発明の実施の形態３に係るブラシ装置の構成を図２と同様にして示す断面図である。
【図８】図７のＶＩＩＩ−ＶＩＩＩ線に沿った断面図である。
【図９】この発明の実施の形態４に係るブラシ装置の構成を図２と同様にして示す断面図である。
【図１０】図９のＸ−Ｘ線に沿った断面図である。
【発明を実施するための形態】
【００１１】
以下、この発明の実施の形態について添付図面に基づいて説明する。
実施の形態１．
まず、この発明の実施の形態１に係るブラシ装置１００及びその周辺の構成を説明する。
【００１２】
図１を参照すると、ブラシ装置１００は、スリップリング３０の外周を囲むように設けられている。
そして、スリップリング３０は、回転電機１の回転シャフト１０に一体回転するように連結されている。ここで、スリップリング３０は、電気接続部を構成している。
回転電機１は、そのハウジング２内に、回転シャフト１０、円筒状の第一ロータ１１、円筒状の第二ロータ１２、及び円筒状のステータ１３を有し、ダブルロータ型の回転電機を構成している。
【００１３】
第一ロータ１１は、回転シャフト１０の外周面１０ａを囲むようにして設けられ、回転シャフト１０と一体に回転する。第一ロータ１１は、その内部に、周方向に沿って配置された図示しないコイルを有している。
ここで、第一ロータ１１は、回転子を構成している。
第二ロータ１２は、第一ロータ１１の径方向外側周囲を囲むようにして設けられ、略円筒状の第二ロータブラケット１２ａによって支持されている。第二ロータ１２及び第二ロータブラケット１２ａは一体となって、回転シャフト１０の外周面１０ａによって相対回転可能に支持される。第二ロータ１２は、その内部に、周方向に沿って配置された永久磁石１２ｂを有している。
ステータ１３は、第二ロータ１２の径方向外側周囲を囲むようにして設けられ、ハウジング２に固定されている。ステータ１３は、その内部に、周方向に沿って配置された図示しないコイルを有している。
【００１４】
回転シャフト１０では、ハウジング２から突出する端部１０ｂから軸方向に沿って形成された凹部１０ｃ内に、導電性をもつ３つのバスバー２１が挿入されている。そして、バスバー２１における凹部１０ｃから突出する部位にスリップリング３０が取り付けられる。
【００１５】
また、各バスバー２１は、回転シャフト１０の外周面１０ａの３つの端子穴１０ｄに挿入され且つ回転シャフト１０に対して電気的に絶縁された導電性のある接続端子２２の１つ、及びこの接続端子２２に接続されたリード２３を介して第一ロータ１１のコイルと電気的に接続されている。さらに、各バスバー２１は、回転シャフト１０の凹部１０ｃ内に充填された絶縁材料である樹脂２４によって、他のバスバー２１及び回転シャフト１０と電気的に絶縁されている。
【００１６】
スリップリング３０は、電気的な絶縁性を有する３つの円板状の絶縁板３１ａ、３１ｂ及び３１ｃと、導電性を有する３つの円板状のスリップリング板３２ａ、３２ｂ及び３２ｃとを交互に積層した構造を有している。さらに、スリップリング３０は、電気的な絶縁性を有する円板状の端部絶縁板３３を端部に有している。絶縁板３１ａ、３１ｂ及び３１ｃ、スリップリング板３２ａ、３２ｂ及び３２ｃ、並びに端部絶縁板３３はそれぞれ、互いに同一の外径で形成されており、さらに、３つのバスバー２１を貫通させてバスバー２１及び回転シャフト１０に取り付けられている。
【００１７】
絶縁板３１ａが回転シャフト１０に隣接して配置され、さらに、この絶縁板３１ａに隣接して、スリップリング板３２ａ、３２ｂ及び３２ｃと絶縁板３１ｂ及び３１ｃとが交互に配置されている。絶縁板３１ａ、３１ｂ及び３１ｃは、スリップリング板３２ａと回転シャフト１０との間、及び、スリップリング板３２ａ、３２ｂ及び３２ｃ同士の間を電気的に絶縁する。
【００１８】
さらに、回転シャフト１０と反対側の端に位置するスリップリング板３２ｃに隣接して、端部絶縁板３３が配置されている。そして、端部絶縁板３３を貫通して突出するバスバー２１それぞれの端部に形成された雄ねじ２１ａに、ナット２５が締結され、それにより、積層された端部絶縁板３３、スリップリング板３２ａ、３２ｂ及び３２ｃ、並びに絶縁板３１ａ、３１ｂ及び３１ｃが回転シャフト１０の端部１０ｂに押し付けられ固定される。
このとき、絶縁板３１ａ、３１ｂ及び３１ｃ、スリップリング板３２ａ、３２ｂ及び３２ｃ、並びに端部絶縁板３３は、それぞれの中心軸を回転シャフト１０の回転中心軸である中心軸Ｃ（図２参照）と同一にしている。
【００１９】
また、各バスバー２１は、その周囲の絶縁部材３４によって、スリップリング板３２ａ、３２ｂ及び３２ｃのいずれかと電気的に絶縁されている。つまり、各スリップリング板３２ａ、３２ｂ及び３２ｃは、互いに異なる１つのバスバー２１とのみ電気的に接続される。
【００２０】
また、スリップリング３０の周囲を囲むようにして有底円筒状の内カバー３が設けられ、さらに、内カバー３の外側周囲を間隙をあけて囲むようにして有底円筒状の外カバー４が設けられている。内カバー３及び外カバー４は、ハウジング２に一緒に固定されている。そして、内カバー３と外カバー４との間には、空気通路５が形成されている。空気通路５は、外カバー４の外周に形成された外カバー貫通穴４ａを介して、外部に連通する。
【００２１】
内カバー３の円筒状の内周面３ａには、スリップリング３０のスリップリング板３２ａ及び絶縁板３１ｂに対向する位置、スリップリング板３２ｂ及び絶縁板３１ｃに対向する位置、並びに、スリップリング板３２ｃ及び端部絶縁板３３に対向する位置にそれぞれ、ブラシ装置１００のベースプレート１０１、１０２及び１０３が設けられ固定されている。ベースプレート１０１、１０２及び１０３はそれぞれ、図３に示すように、内周面３ａの周方向に沿って等間隔に３つずつ設けられたベースプレート部によって構成され、各ベースプレート部は互いに同形状である。なお、ベースプレート１０１は、ベースプレート部１０１ａ、１０１ｂ及び１０１ｃ（実線表示）によって構成され、ベースプレート１０２は、ベースプレート部１０２ａ、１０２ｂ及び１０２ｃ（一点鎖線表示）によって構成され、ベースプレート１０３は、ベースプレート部１０３ａ、１０３ｂ及び１０３ｃ（二点鎖線表示）によって構成されている。
【００２２】
図１及び図３をあわせて参照すると、ベースプレート１０１、１０２及び１０３それぞれの回転シャフト１０側に、ブラシ保持部１０４、１０５及び１０６が取り付けられている。そして、ブラシ保持部１０４、１０５及び１０６はそれぞれ、ベースプレート１０１、１０２及び１０３と共に角筒状の形状を形成する。
なお、図３では、ベースプレート１０１、ブラシ保持部１０４及び後述するブラシ１０７を構成する要素は、実線で示され、ベースプレート１０２、ブラシ保持部１０５及び後述するブラシ１０８を構成する要素は、一点鎖線で示され、ベースプレート１０３、ブラシ保持部１０６及び後述するブラシ１０９を構成する要素は、二点鎖線で示されている。
【００２３】
また、ブラシ保持部１０４、１０５及び１０６のそれぞれには、角柱状のブラシ１０７、１０８及び１０９が挿入され、内部でスライド可能に保持されている。ブラシ１０７、１０８及び１０９はそれぞれ、図示しない付勢部材によって、スリップリング板３２ａ、３２ｂ及び３２ｃの周面に押し付けられ、接触している。
さらに、ブラシ１０７、１０８及び１０９にはそれぞれ、図示しないリードが接続されており、リードは、外部のインバータ、バッテリ等の電気機器に電気的に接続されている。よって、回転電機１の第一ロータ１１のコイルには、ブラシ１０７、１０８及び１０９、スリップリング板３２ａ、３２ｂ及び３２ｃ、並びにバスバー２１を介して、三相交流電流が供給される。
ここで、ベースプレート１０１、ブラシ保持部１０４及びブラシ１０７は、ブラシ装置１００の第一極を構成し、ベースプレート１０２、ブラシ保持部１０５及びブラシ１０８は、ブラシ装置１００の第二極を構成し、ベースプレート１０３、ブラシ保持部１０６及びブラシ１０９は、ブラシ装置１００の第三極を構成している。そして、第一極〜第三極に三相交流電流が供給される。
【００２４】
また、ハウジング２には、ブラシ保持部１０４、１０５又は１０６と対向する位置に複数のハウジング貫通穴２ａが形成されており、ハウジング貫通穴２ａは、ハウジング２の内部を内カバー３の内部に連通する。また、内カバー３には、ブラシ保持部１０４、１０５又は１０６と対向する位置に複数の内カバー貫通穴３ｂが形成されており、内カバー貫通穴３ｂは、内カバー３の内部を空気通路５に連通する。
【００２５】
図２を参照すると、ベースプレート１０１（図１参照）を構成するベースプレート部１０１ａ、１０１ｂ及び１０１ｃと同様に、ブラシ保持部１０４（図１参照）も、同形状をした３つのブラシ保持部１０４ａ、１０４ｂ及び１０４ｃによって構成されている。ブラシ保持部１０４ａ、１０４ｂ及び１０４ｃはそれぞれ、ベースプレート部１０１ａ、１０１ｂ及び１０１ｃに取り付けられ、スリップリング板３２ａ〜３２ｃ（図１参照）の中心軸Ｃに沿う方向で見たとき、ベースプレート部１０１ａ、１０１ｂ及び１０１ｃと同一の幅（スリップリング板３２ａの周方向の幅）を有している。
【００２６】
図４をあわせて参照すると、ブラシ保持部１０４ａ、１０４ｂ及び１０４ｃはそれぞれ、コの字状の断面を有する本体部１０４ａ１、１０４ｂ１及び１０４ｃ１と、本体部１０４ａ１、１０４ｂ１及び１０４ｃ１の両側縁部から垂直に延出する板状のフランジ部１０４ａ２、１０４ｂ２及び１０４ｃ２とによって構成されている。
そして、ブラシ保持部１０４ａ、１０４ｂ及び１０４ｃそれぞれの両フランジ部１０４ａ２、１０４ｂ２及び１０４ｃ２が、ベースプレート部１０１ａ、１０１ｂ及び１０１ｃにおける図２の紙面上で手前側つまり回転シャフト１０側の平坦な側面１０１ａ１、１０１ｂ１及び１０１ｃ１上に取り付け、固定されている。本体部１０４ａ１、１０４ｂ１及び１０４ｃ１はそれぞれ、側面１０１ａ１、１０１ｂ１及び１０１ｃ１と共に、内側に四角筒状の保持穴１０４ａ３、１０４ｂ３及び１０４ｃ３を形成する。
【００２７】
さらに、ブラシ保持部１０４ａ〜１０４ｃはそれぞれ、保持穴１０４ａ３〜１０４ｃ３の四角筒の中心軸を中心軸Ｃに向けるようにして、中心軸Ｃから放射状に等間隔に配置されている。つまり、ブラシ保持部１０４ａ〜１０４ｃは互いに、中心軸Ｃを中心とした中心角１２０°の回転対称の関係となっている。そして、保持穴１０４ａ３、１０４ｂ３及び１０４ｃ３にそれぞれ、ブラシ１０７（図１参照）を構成するブラシ１０７ａ、１０７ｂ及び１０７ｃがスライド可能に挿入され、ブラシ１０７ａ〜１０７ｃは図示しない付勢部材によってスリップリング板３２ａに押圧されている。
ここで、ブラシ１０７はブラシ１０７ａ〜１０７ｃからなるブラシ群を構成している。
【００２８】
また、本体部１０４ａ１、１０４ｂ１及び１０４ｃ１のそれぞれでは、側面１０１ａ１、１０１ｂ１及び１０１ｃ１に対向する側壁１０４ａ４、１０４ｂ４及び１０４ｃ４を貫通する同径の貫通穴１０４ａ５、１０４ｂ５及び１０４ｃ５が複数（本実施の形態１では３つ）形成されている。ここで、貫通穴１０４ａ５〜１０４ｃ５は、開口部を構成している。さらに、貫通穴１０４ａ５〜１０４ｃ５はそれぞれ、側壁１０４ａ４〜１０４ｃ４において中心軸Ｃ側の方が開口面積が大きくなる、つまり開口部の数が多くなるように配置されている。
【００２９】
図３を参照すると、ブラシ保持部１０５（図１参照）も、３つの同形状のブラシ保持部１０５ａ、１０５ｂ及び１０５ｃによって構成されている。ブラシ保持部１０５ａ、１０５ｂ及び１０５ｃもそれぞれ、コの字状断面の本体部とフランジ部とによって構成され、両フランジ部でベースプレート部１０２ａ、１０２ｂ及び１０２ｃの回転シャフト１０側の平坦な側面１０２ａ１、１０２ｂ１及び１０２ｃ１に固定されている。そして、ブラシ保持部１０５ａ、１０５ｂ及び１０５ｃはそれぞれ、側面１０２ａ１、１０２ｂ１及び１０２ｃ１との間に四角筒状の保持穴１０５ａ３、１０５ｂ３及び１０５ｃ３を形成する。
【００３０】
ブラシ保持部１０５ａ〜１０５ｃはそれぞれ、保持穴１０５ａ３〜１０５ｃ３の中心軸を中心軸Ｃに向けて、互いに中心軸Ｃを中心とした中心角１２０°の回転対称の関係で配置されている。さらに、保持穴１０５ａ３、１０５ｂ３及び１０５ｃ３にはそれぞれ、ブラシ１０８（図１参照）を構成するブラシ１０８ａ、１０８ｂ及び１０８ｃがスライド可能に挿入されてスリップリング板３２ｂ（図１参照）に押圧されている。
ここで、ブラシ１０８はブラシ１０８ａ〜１０８ｃからなるブラシ群を構成している。
【００３１】
また、ブラシ保持部１０５ａ、１０５ｂ及び１０５ｃそれぞれでは、側面１０２ａ１、１０２ｂ１及び１０２ｃ１に対向する本体部の側壁１０５ａ４、１０５ｂ４及び１０５ｃ４を貫通する貫通穴１０５ａ５、１０５ｂ５及び１０５ｃ５が複数（本実施の形態１は３つ）形成されている。貫通穴１０５ａ５〜１０５ｃ５もそれぞれ、中心軸Ｃ側の方が開口面積が大きくなるように配置されている。
さらに、第二極のブラシ保持部１０５ａ〜１０５ｃ及びベースプレート部１０２ａ〜１０２ｃはいずれも、中心軸Ｃに沿う図３の紙面上の手前から奥行き方向に見たとき、第一極のブラシ保持部１０４ａ〜１０４ｃ及びベースプレート部１０１ａ〜１０１ｃと重ならないように、中心軸Ｃを中心とする周方向にずらして配置されている。これにより、ブラシ１０８ａ〜１０８ｃもいずれも、ブラシ１０７ａ〜１０７ｃと重ならない。
【００３２】
また、ブラシ保持部１０６（図１参照）も、３つの同形状のブラシ保持部１０６ａ、１０６ｂ及び１０６ｃによって構成されている。ブラシ保持部１０６ａ、１０６ｂ及び１０６ｃもそれぞれ、コの字状断面の本体部とフランジ部とによって構成され、両フランジ部でベースプレート部１０３ａ、１０３ｂ及び１０３ｃの回転シャフト１０側の平坦な側面１０３ａ１、１０３ｂ１及び１０３ｃ１に固定されている。そして、ブラシ保持部１０６ａ、１０６ｂ及び１０６ｃはそれぞれ、側面１０３ａ１、１０３ｂ１及び１０３ｃ１との間に四角筒状の保持穴１０６ａ３、１０６ｂ３及び１０６ｃ３を形成する。
【００３３】
ブラシ保持部１０６ａ〜１０６ｃはそれぞれ、保持穴１０６ａ３〜１０６ｃ３の中心軸を中心軸Ｃに向けて、互いに中心軸Ｃを中心とした中心角１２０°の回転対称の関係で配置されている。さらに、保持穴１０６ａ３、１０６ｂ３及び１０６ｃ３にはそれぞれ、ブラシ１０９（図１参照）を構成するブラシ１０９ａ、１０９ｂ及び１０９ｃがスライド可能に挿入されてスリップリング板３２ｃ（図１参照）に押圧されている。
ここで、ブラシ１０９はブラシ１０９ａ〜１０９ｃからなるブラシ群を構成している。
【００３４】
また、ブラシ保持部１０６ａ、１０６ｂ及び１０６ｃそれぞれでは、側面１０３ａ１、１０３ｂ１及び１０３ｃ１に対向する本体部の側壁１０６ａ４、１０６ｂ４及び１０６ｃ４を貫通する貫通穴１０６ａ５、１０６ｂ５及び１０６ｃ５が複数（本実施の形態１は３つ）形成されている。貫通穴１０６ａ５〜１０６ｃ５はそれぞれ、中心軸Ｃ側の方が開口面積が大きくなるように配置されている。
【００３５】
さらに、第三極のブラシ保持部１０６ａ〜１０６ｃ及びベースプレート部１０３ａ〜１０３ｃはいずれも、中心軸Ｃに沿う図３の紙面上の手前から奥行き方向に見たとき、第一極のブラシ保持部１０４ａ〜１０４ｃ及びベースプレート部１０１ａ〜１０１ｃと重ならず、且つ第二極のブラシ保持部１０５ａ〜１０５ｃ及びベースプレート部１０２ａ〜１０２ｃと重ならないように、中心軸Ｃを中心とする周方向にずらして配置されている。これにより、ブラシ１０９ａ〜１０９ｃもいずれも、ブラシ１０７ａ〜１０７ｃ及び１０８ａ〜１０８ｃと重ならない。
よって、中心軸Ｃに沿う図３の紙面上の手前から奥行き方向に見たとき、第一極〜第三極の間においてブラシ保持部、ベースプレート部及びブラシが互いに重ならない。
【００３６】
次いで、この発明の実施の形態１に係るブラシ装置１００及びその周辺の動作を説明する。
図１を参照すると、外部の電気機器からブラシ１０７〜１０９に三相交流電流が供給されると、供給された電流は、スリップリング３０のスリップリング板３２ａ、３２ｂ及び３２ｃ、各バスバー２１、各接続端子２２、並びに各リード２３を介して、回転電機１の第一ロータ１１のコイルに供給される。第一ロータ１１のコイルを流れる電流は、回転磁界を発生し、この回転磁界によって永久磁石１２ｂを含む第二ロータ１２に電動トルクが発生し、発生した電動トルクによって第二ロータ１２が回転される。
【００３７】
このとき、電流が流れることで発熱する第一ロータ１１のコイルを冷却するために、回転電機１のハウジング２の内部には、外気などの冷却用の気体が外部から供給される。
ハウジング２内に供給された外部の空気は、ハウジング貫通穴２ａを通って内カバー３の内部に流入し、さらに、内カバー３の内部を流通した後、内カバー貫通穴３ｂを通って空気通路５に流入し、その後、外カバー貫通穴４ａから外部に排出される。
【００３８】
図３をあわせて参照すると、内カバー３の内部では、空気は、ハウジング貫通穴２ａから内カバー貫通穴３ｂに向かって流通する途中にあるブラシ１０７ａ〜１０７ｃ、１０８ａ〜１０８ｃ及び１０９ａ〜１０９ｃと接触し、これらを冷却する。
【００３９】
このとき、空気の流れの一部は、まず、ブラシ保持部１０４ａ〜１０４ｃ、ブラシ１０７ａ〜１０７ｃ及びベースプレート部１０１ａ〜１０１ｃとそれぞれ直接接触し、その後、内カバー貫通穴３ｂに向かって流れる。
また、空気の流れのその他の一部は、ベースプレート部１０１ａ〜１０１ｃ同士の間を通って、ブラシ保持部１０５ａ〜１０５ｃ、ブラシ１０８ａ〜１０８ｃ及びベースプレート部１０２ａ〜１０２ｃとそれぞれ直接接触し、その後、内カバー貫通穴３ｂに向かって流れる。
さらにまた、空気の流れのその他の一部は、ベースプレート部１０１ａ〜１０１ｃ同士の間からベースプレート部１０２ａ〜１０２ｃ同士の間を通って、ブラシ保持部１０６ａ〜１０６ｃ、ブラシ１０９ａ〜１０９ｃ及びベースプレート部１０３ａ〜１０３ｃとそれぞれ直接接触し、その後、内カバー貫通穴３ｂに向かって流れる。
【００４０】
このとき、また、各ブラシ１０７ａ〜１０７ｃ、１０８ａ〜１０８ｃ及び１０９ａ〜１０９ｃには、他のブラシと接触及び熱交換を行っていない空気が直接接触するため、冷却効率が向上している。
さらに、ブラシ保持部１０４ａ〜１０４ｃ、１０５ａ〜１０５ｃ及び１０６ａ〜１０６ｃのそれぞれでは、空気の流通方向の上流側に位置し且つ流通方向に向かい合う側壁１０４ａ４〜１０４ｃ４（図２参照）、１０５ａ４〜１０５ｃ４及び１０６ａ４〜１０６ｃ４に複数の貫通穴１０４ａ５〜１０４ｃ５、１０５ａ５〜１０５ｃ５及び１０６ａ５〜１０６ｃ５が形成されている。このため、各ブラシ１０７ａ〜１０７ｃ、１０８ａ〜１０８ｃ及び１０９ａ〜１０９ｃが貫通穴によって空気と直接接触する面積を増大させると共に、貫通穴での空気との接触効率を向上させている。よって、各ブラシ１０７ａ〜１０７ｃ、１０８ａ〜１０８ｃ及び１０９ａ〜１０９ｃでは、空気による冷却効率が向上する。さらにまた、ブラシ保持部１０４ａ〜１０４ｃ、１０５ａ〜１０５ｃ及び１０６ａ〜１０６ｃにおける貫通穴の開口面積が、中心軸Ｃ側で大きくなっているため、各ブラシ１０７ａ〜１０７ｃ、１０８ａ〜１０８ｃ及び１０９ａ〜１０９ｃでは、摺動部に近く発熱量の大きい部位が優先的に冷却され、冷却効率が向上する。
【００４１】
このように、この発明の実施の形態１に係るブラシ装置１００は、回転電機１の第一ロータ１１と共に回転するスリップリング３０と接触するブラシ１０７〜１０９と、ブラシ１０７〜１０９をスライド可能に収容するブラシ保持部１０４〜１０６とを備える。ブラシ装置１００では、ブラシ保持部１０４〜１０６は、ブラシ１０７〜１０９と隣接する側壁１０４ａ４〜１０４ｃ４、１０５ａ４〜１０５ｃ４及び１０６ａ４〜１０６ｃ４に、側壁を貫通する少なくとも１つの貫通穴１０４ａ５〜１０４ｃ５、１０５ａ５〜１０５ｃ５及び１０６ａ５〜１０６ｃ５を有する。これによって、ブラシ１０７〜１０９のそれぞれには、貫通穴１０４ａ５〜１０４ｃ５、１０５ａ５〜１０５ｃ５及び１０６ａ５〜１０６ｃ５を通じて、外部の空気が直接接触するため、空気との接触面積が増加する。従って、回転電機１の第一ロータ１１と共に回転するスリップリング３０に摺動しつつ接触するブラシ１０７〜１０９における温度上昇を抑えることが可能になる。
【００４２】
また、ブラシ装置１００において、ブラシ１０７〜１０９及びブラシ保持部１０４〜１０６は複数設けられ、ブラシ１０７〜１０９は、スリップリング３０の回転中心軸Ｃに沿って互いに離れた位置でスリップリング３０と接触する複数のブラシ群を形成する。ブラシ群のブラシ１０７ａ〜１０７ｃのブラシ保持部１０４ａ〜１０４ｃは、他のブラシ群のブラシ１０８ａ〜１０８ｃ及び１０９ａ〜１０９ｃのブラシ保持部１０５ａ〜１０５ｃ及び１０６ａ〜１０６ｃに対して、回転中心軸Ｃを中心とする周方向にずれて配置されている。これによって、ブラシ１０７ａ〜１０７ｃ、１０８ａ〜１０８ｃ及び１０９ａ〜１０９ｃのそれぞれには、中心軸Ｃの延在方向に沿って流れてくる空気等の冷却用気体が、他のブラシと熱交換をせずに直接接触する。従って、上記の各ブラシにおける冷却効率が向上する。
【００４３】
実施の形態２．
この発明の実施の形態２に係るブラシ装置２００は、実施の形態１に係るブラシ装置１００において、ブラシ保持部１０４〜１０６のそれぞれに貫通穴を形成していたものを、各ブラシ保持部を二分割構造とし、二分割した部材の間に間隙を設けるようにしたものである。
なお、以下の実施の形態において、前出した図における参照符号と同一の符号は、同一または同様な構成要素であるので、その詳細な説明は省略する。
【００４４】
図５を参照すると、実施の形態２に係るブラシ装置２００において、ベースプレート部１０１ａ、１０１ｂ及び１０１ｃそれぞれに設けられたブラシ保持部２０４ａ、２０４ｂ及び２０４ｃと、ブラシ保持部２０４ａ、２０４ｂ及び２０４ｃにそれぞれ挿入されたブラシ１０７ａ、１０７ｂ及び１０７ｃとが記載されている。そして、ブラシ保持部２０４ａ〜２０４ｃは、実施の形態１におけるブラシ装置１００のブラシ保持部１０４ａ〜１０４ｃと同様の位置及び向きで配置されている。
なお、図５では、ベースプレート部１０２ａ〜１０２ｃ及びベースプレート部１０３ａ〜１０３ｃ（図３参照）に設けられるブラシ保持部及びブラシは、描かれていない。
【００４５】
図６をあわせて参照すると、ブラシ保持部２０４ａ、２０４ｂ及び２０４ｃはそれぞれ、同形状をした第一部材２０４ａａ、２０４ｂａ及び２０４ｃａ及び第二部材２０４ａｂ、２０４ｂｂ及び２０４ｃｂによって構成されている。
第一部材２０４ａａ、２０４ｂａ及び２０４ｃａはそれぞれ、Ｌ字状断面を有する本体部２０４ａａ１、２０４ｂａ１及び２０４ｃａ１と、本体部２０４ａａ１、２０４ｂａ１及び２０４ｃａ１の側縁部から延出するフランジ部２０４ａａ２、２０４ｂａ２及び２０４ｃａ２とによって構成されている。
第二部材２０４ａｂ、２０４ｂｂ及び２０４ｃｂもそれぞれ、Ｌ字状断面を有する本体部２０４ａｂ１、２０４ｂｂ１及び２０４ｃｂ１と、本体部２０４ａｂ１、２０４ｂｂ１及び２０４ｃｂ１の側縁部から延出するフランジ部２０４ａｂ２、２０４ｂｂ２及び２０４ｃｂ２とによって構成されている。
【００４６】
ブラシ保持部２０４ａでは、本体部２０４ａａ１及び２０４ａｂ１を対向させるようにして、第一部材２０４ａａ及び第二部材２０４ａｂが配置され、フランジ部２０４ａａ２及び２０４ａｂ２でベースプレート部１０１ａの側面１０１ａ１に固定される。これにより、本体部２０４ａａ１及び２０４ａｂ１は、側面１０１ａ１との間に四角筒状のブラシ収容空間２０４ａ３を形成する。そして、側面１０１ａ１に対向する本体部２０４ａａ１の側壁２０４ａａ４及び本体部２０４ａｂ１の側壁２０４ａｂ４の間には、中心軸Ｃに垂直な径方向に延在する間隙２０４ａ５が形成される。
【００４７】
ブラシ保持部２０４ｂでも同様に、第一部材２０４ｂａ及び第二部材２０４ｂｂが、本体部２０４ｂａ１及び２０４ｂｂ１を対向させて、フランジ部２０４ｂａ２及び２０４ｂｂ２でベースプレート部１０１ｂの側面１０１ｂ１に固定される。そして、本体部２０４ｂａ１、本体部２０４ｂｂ１及び側面１０１ｂ１の内側に四角筒状のブラシ収容空間２０４ｂ３が形成され、側面１０１ｂ１に対向する本体部２０４ｂａ１の側壁２０４ｂａ４及び本体部２０４ｂｂ１の側壁２０４ｂｂ４の間に、間隙２０４ｂ５が形成される。
ブラシ保持部２０４ｃでも同様に、第一部材２０４ｃａ及び第二部材２０４ｃｂが、本体部２０４ｃａ１及び２０４ｃｂ１を対向させて、フランジ部２０４ｃａ２及び２０４ｃｂ２でベースプレート部１０１ｃの側面１０１ｃ１に固定される。そして、本体部２０４ｃａ１、本体部２０４ｃｂ１及び側面１０１ｃ１の内側に四角筒状のブラシ収容空間２０４ｃ３が形成され、側面１０１ｃ１に対向する本体部２０４ｃａ１の側壁２０４ｃａ４及び本体部２０４ｃｂ１の側壁２０４ｃｂ４の間に、間隙２０４ｃ５が形成される。
【００４８】
ブラシ収容空間２０４ａ３〜２０４ｃ３それぞれにスライド自在に挿入されたブラシ１０７ａ〜１０７ｃは、間隙２０４ａ５〜２０４ｃ５において、ブラシ保持部２０４ａ〜２０４ｃから外部に露出する。
【００４９】
また、第二極のベースプレート部１０２ａ〜１０２ｃ及び第三極のベースプレート部１０３ａ〜１０３ｃ（図３参照）に設けられるブラシ保持部も、第一極のブラシ保持部２０４ａ〜２０４ｃと同様にして構成されている。そして、第二極のベースプレート部１０２ａ〜１０２ｃ及びそのブラシ保持部と、第三極のベースプレート部１０３ａ〜１０３ｃ及びそのブラシ保持部と、第一極のベースプレート部１０１ａ〜１０１ｃ及びそのブラシ保持部２０４ａ〜２０４ｃとは、実施の形態１と同様に、中心軸Ｃに沿う図５の紙面上の手前から奥行き方向に見たとき、互いに重ならないように配置されている。これにより、各ブラシも互いに重ならない。
【００５０】
よって、回転電機１（図１参照）の稼働中、内カバー３内に流入した空気は、ベースプレート部１０１ａ〜１０１ｃにおいて、間隙２０４ａ５〜２０４ｃ５によってブラシ保持部２０４ａ〜２０４ｃからの露出面積を増大させたブラシ１０７ａ〜１０７ｃ、並びに、ベースプレート部１０２ａ〜１０２ｃ及びベースプレート部１０３ａ〜１０３ｃ（図３参照）において、間隙によってブラシ保持部からの露出面積を増大させたブラシと接触する。さらに、各ブラシには、他のブラシと接触していない空気が直接接触する。このため、各ブラシの冷却効率が向上する。
また、この発明の実施の形態２に係るブラシ装置２００のその他の構成及び動作は、実施の形態１と同様であるため、説明を省略する。
そして、実施の形態２におけるブラシ装置２００によれば、上記実施の形態１のブラシ装置１００と同様な効果が得られる。
【００５１】
実施の形態３．
この発明の実施の形態３に係るブラシ装置３００は、実施の形態２に係るブラシ装置２００において、ブラシ保持部のそれぞれに放熱用の放熱フィンを設けるようにしたものである。
図７を参照すると、実施の形態３に係るブラシ装置３００において、ベースプレート部１０１ａ、１０１ｂ及び１０１ｃそれぞれに設けられたブラシ保持部３０４ａ、３０４ｂ及び３０４ｃと、ブラシ保持部３０４ａ、３０４ｂ及び３０４ｃにそれぞれ挿入されたブラシ１０７ａ、１０７ｂ及び１０７ｃとが記載されている。なお、図７では、ベースプレート部１０２ａ〜１０２ｃ及びベースプレート部１０３ａ〜１０３ｃ（図３参照）に設けられるブラシ保持部及びブラシは、描かれていない。
【００５２】
ブラシ保持部３０４ａ〜３０４ｃは、実施の形態２のブラシ装置２００のブラシ保持部２０４ａ〜２０４ｃにおける第一部材２０４ａａ〜２０４ｃａ及び第二部材２０４ａｂ〜２０４ｃｂを、実施の形態２と同様の配置で有している。なお、本実施の形態３では、第一部材２０４ａａ〜２０４ｃａ及び第二部材２０４ａｂ〜２０４ｃｂは、金属等の熱伝導性を有する材料から形成されている。
【００５３】
図８をあわせて参照すると、ブラシ保持部３０４ａは、さらに、第一部材２０４ａａのフランジ部２０４ａａ２上、及び第二部材２０４ａｂのフランジ部２０４ａｂ２上に、複数の薄板からなる放熱フィン３０４ｄを有している。なお、放熱フィン３０４ｄは、金属等の熱伝導性を有する材料から形成されている。
【００５４】
第一部材２０４ａａの放熱フィン３０４ｄは、フランジ部２０４ａａ２上から図７の紙面上で手前方向となる回転シャフト１０の方向に向かって突出するようにして、互いに間隔をあけて設けられている。さらに、放熱フィン３０４ｄは、ブラシ１０７ａ及び第一部材２０４ａａの本体部２０４ａａ１の延在方向に対して垂直に、つまり中心軸Ｃを中心とする円筒の周方向に向かって延在し、本体部２０４ａａ１におけるフランジ部２０４ａａ２に垂直な側壁２０４ａａ６とも結合されている。
第二部材２０４ａｂの放熱フィン３０４ｄも、第一部材２０４ａａの放熱フィン３０４ｄと同様に、フランジ部２０４ａｂ２上から回転シャフト１０の方向に向かって互いに間隔をあけて突出し、ブラシ１０７ａ及び第二部材２０４ａｂの本体部２０４ａｂ１の延在方向に対して垂直に延在し、本体部２０４ａｂ１におけるフランジ部２０４ａｂ２に垂直な側壁２０４ａｂ６とも結合されている。
【００５５】
よって、第一部材２０４ａａ及び第二部材２０４ａｂの放熱フィン３０４ｄはそれぞれ、本体部２０４ａａ１及び本体部２０４ａｂ１における周囲の空気との熱交換面積を増加させ、第一部材２０４ａａ及び第二部材２０４ａｂの放熱性を向上させている。さらに、放熱フィン３０４ｄはそれぞれ、内カバー３内を空気が流通する方向である中心軸Ｃに沿う方向と平行に延在するように、フランジ部２０４ａａ２及び２０４ａｂ２から直立しているため、平坦な両側面を含む多くの面積で流通する空気と接触し熱交換することができる。
【００５６】
また、第一部材２０４ａａ及び第二部材２０４ａｂと同様にして、ブラシ保持部３０４ｂの第一部材２０４ｂａ及び第二部材２０４ｂｂにおいても、本体部２０４ｂａ１のフランジ部２０４ｂａ２及び側壁２０４ｂａ６、並びに、本体部２０４ｂｂ１のフランジ部２０４ｂｂ２及び側壁２０４ｂｂ６に、複数の放熱フィン３０４ｄが結合されている。さらに、ブラシ保持部３０４ｃの第一部材２０４ｃａ及び第二部材２０４ｃｂにおいても、本体部２０４ｃａ１のフランジ部２０４ｃａ２及び側壁２０４ｃａ６、並びに、本体部２０４ｃｂ１のフランジ部２０４ｃｂ２及び側壁２０４ｃｂ６に、複数の放熱フィン３０４ｄが結合されている。
【００５７】
また、第二極のベースプレート部１０２ａ〜１０２ｃ及び第三極のベースプレート部１０３ａ〜１０３ｃ（図３参照）に設けられるブラシ保持部も、第一極のブラシ保持部３０４ａ〜３０４ｃと同様にして構成されている。そして、第二極のベースプレート部１０２ａ〜１０２ｃ及びそのブラシ保持部と、第三極のベースプレート部１０３ａ〜１０３ｃ及びそのブラシ保持部と、第一極のベースプレート部１０１ａ〜１０１ｃ及びそのブラシ保持部３０４ａ〜３０４ｃとは、実施の形態２と同様に、中心軸Ｃに沿う図７の紙面上の手前から奥行き方向に見たとき、互いに重ならないように配置されている。これにより、各ブラシも互いに重ならない。
【００５８】
よって、回転電機１（図１参照）の稼働中、内カバー３内に流入した空気は、ベースプレート部１０１ａ〜１０１ｃにおける放熱フィン３０４ｄによって熱交換面積を増大させたブラシ保持部３０４ａ〜３０４ｃ及び間隙２０４ａ５〜２０４ｃ５によって露出面積を増大させたブラシ１０７ａ〜１０７ｃ、並びに、ベースプレート部１０２ａ〜１０２ｃ及びベースプレート部１０３ａ〜１０３ｃ（図３参照）における放熱フィン３０４ｄによって熱交換面積を増大させたブラシ保持部及び間隙によって露出面積を増大させたブラシと接触する。さらに、各ブラシ及びそのブラシ保持部には、他のブラシ及びブラシ保持部と接触していない空気が直接接触する。このため、各ブラシの冷却効率が実施の形態２のブラシ装置２００よりも向上する。
また、この発明の実施の形態３に係るブラシ装置３００のその他の構成及び動作は、実施の形態２と同様であるため、説明を省略する。
【００５９】
そして、実施の形態３におけるブラシ装置３００によれば、上記実施の形態２のブラシ装置２００と同様な効果が得られる。
また、ブラシ装置３００において、ブラシ保持部３０４ａ〜３０４ｃはそれぞれ、ブラシ１０７ａ〜１０７ｃと隣接する側壁２０４ａａ６〜２０４ｃａ６及び２０４ａｂ６〜２０４ｃｂ６に、複数の板状の放熱フィン３０４ｄを有している。さらに、放熱フィン３０４ｄは、ブラシ保持部２０４ａ〜２０４ｃに向かって流れる冷却用の空気の流通方向に沿って延在している。このとき、放熱フィン３０４ｄによって、ブラシ保持部３０４ａ〜３０４ｃと周囲の空気との接触面積が増加し、周囲の空気によるブラシ保持部３０４ａ〜２０３ｃ及び内部のブラシ１０７ａ〜１０７ｃの冷却効率が向上する。さらに、放熱フィン３０４ｄが冷却用の空気の流通方向に沿って延在することによって、各放熱フィン３０４ｄと流通空気との接触面積を多く確保することができるため、流通空気によるブラシ保持部３０４ａ〜３０４ｃ及び内部のブラシ１０７ａ〜１０７ｃの冷却効率が向上する。
【００６０】
実施の形態４．
この発明の実施の形態４に係るブラシ装置４００は、実施の形態３に係るブラシ装置３００において、ブラシ保持部のそれぞれに設けられた放熱フィン３０４ｄの向きを変更したものである。
図９を参照すると、実施の形態４に係るブラシ装置４００において、ベースプレート部１０１ａ、１０１ｂ及び１０１ｃそれぞれに設けられたブラシ保持部４０４ａ、４０４ｂ及び４０４ｃと、ブラシ保持部４０４ａ、４０４ｂ及び４０４ｃにそれぞれ挿入されたブラシ１０７ａ、１０７ｂ及び１０７ｃとが記載されている。ブラシ保持部４０４ａ〜４０４ｃは、金属等の熱伝導性を有する材料から形成された第一部材２０４ａａ〜２０４ｃａ及び第二部材２０４ａｂ〜２０４ｃｂを、実施の形態３と同様にして有している。
なお、図９では、ベースプレート部１０２ａ〜１０２ｃ及びベースプレート部１０３ａ〜１０３ｃ（図３参照）に設けられるブラシ保持部及びブラシは、描かれていない。
【００６１】
図１０をあわせて参照すると、ブラシ保持部４０４ａは、実施の形態３とは異なり、第一部材２０４ａａの本体部２０４ａａ１の側壁２０４ａａ６から外側に向かって延びる複数の薄板状の放熱フィン４０４ｄを有している。放熱フィン４０４ｄはそれぞれ、平坦な側面４０４ｄ１をフランジ部２０４ａａ２及び側面１０１ａ１と平行にして延在し、中心軸Ｃに沿う方向で互いに間隔をあけて積層されるように配置されている。
また、ブラシ保持部４０４ａは、第二部材２０４ａｂにも、本体部２０４ａｂ１の側壁２０４ａｂ６から外側に向かって延びる複数の放熱フィン４０４ｄを有している。薄板状の放熱フィン４０４ｄはそれぞれ、側面４０４ｄ１をフランジ部２０４ａｂ２及び側面１０１ａ１と平行にして延在し、中心軸Ｃに沿う方向で互いに間隔をあけて積層されるように配置されている。
なお、放熱フィン４０４ｄは、熱伝導性を有する材料から形成されている。
【００６２】
よって、放熱フィン４０４ｄは、本体部２０４ａａ１及び２０４ａｂ１の熱交換面積を増加させ、それにより第一部材２０４ａａ及び第二部材２０４ａｂの放熱性を向上させている。さらに、放熱フィン４０４ｄはそれぞれ、互いに間隔をあけてベースプレート部１０１ａの側面１０１ａ１と平行に延在するため、内カバー３内に流入したのちに側面１０１ａ１上に沿う方向に流通する空気に対して、両側の側面４０４ｄ１を含む多くの面積で接触し熱交換することができる。
【００６３】
また、ブラシ保持部４０４ｂの第一部材２０４ｂａ及び第二部材２０４ｂｂ、並びにブラシ保持部４０４ｃの第一部材２０４ｃａ及び第二部材２０４ｃｂにおいても、ブラシ保持部４０４ａの第一部材２０４ａａ及び第二部材２０４ａｂと同様にして、側壁２０４ｂａ６及び２０４ｂｂ６並びに側壁２０４ｃａ６及び２０４ｃｂ６に、放熱フィン４０４ｄが設けられている。
【００６４】
また、第二極のベースプレート部１０２ａ〜１０２ｃ及び第三極のベースプレート部１０３ａ〜１０３ｃ（図３参照）に設けられるブラシ保持部も、第一極のブラシ保持部４０４ａ〜４０４ｃと同様にして構成されている。そして、第二極のベースプレート部１０２ａ〜１０２ｃ及びそのブラシ保持部と、第三極のベースプレート部１０３ａ〜１０３ｃ及びそのブラシ保持部と、第一極のベースプレート部１０１ａ〜１０１ｃ及びそのブラシ保持部４０４ａ〜４０４ｃとは、実施の形態３と同様に、中心軸Ｃに沿う図９の紙面上の手前から奥行き方向に見たとき、互いに重ならないように配置されている。これにより、各ブラシも互いに重ならない。
【００６５】
よって、回転電機１（図１参照）の稼働中、内カバー３内に流入した空気は、ベースプレート部１０１ａ〜１０１ｃにおける放熱フィン４０４ｄによって熱交換面積を増大させたブラシ保持部４０４ａ〜４０４ｃ及び間隙２０４ａ５〜２０４ｃ５によって露出面積を増大させたブラシ１０７ａ〜１０７ｃ、並びに、ベースプレート部１０２ａ〜１０２ｃ及びベースプレート部１０３ａ〜１０３ｃ（図３参照）における放熱フィン４０４ｄによって熱交換面積を増大させたブラシ保持部及び間隙によって露出面積を増大させたブラシと接触する。さらに、各ブラシ及びそのブラシ保持部には、他のブラシ及びブラシ保持部と接触していない空気が直接接触する。このため、各ブラシの冷却効率が実施の形態２のブラシ装置２００よりも向上する。さらに、各ブラシ保持部は、スリップリング板３２ａ、３２ｂ又は３２ｃ（図１参照）に衝突し、その表面上に沿ってブラシ保持部に向かって流れる空気と、放熱フィン４０４ｄを介して効率的に熱交換を行い、各ブラシの冷却効率を向上させる。
【００６６】
また、この発明の実施の形態４に係るブラシ装置４００のその他の構成及び動作は、実施の形態３と同様であるため、説明を省略する。
そして、実施の形態４におけるブラシ装置４００によれば、上記実施の形態３のブラシ装置３００と同様な効果が得られる。
なお、実施の形態１のブラシ装置１００のブラシ保持部に、実施の形態３又は４の放熱フィン３０４ｄ又は４０４ｄを設けてもよい。
【００６７】
また、実施の形態１〜４のブラシ装置１００〜４００では、ブラシ保持部の１つの側壁にのみ、貫通穴又は間隙が形成されていたが、２つ以上の側壁に形成してもよい。この場合、実施の形態１のブラシ装置１００のブラシ保持部の貫通穴と、実施の形態２〜４のブラシ装置２００〜４００のブラシ保持部の間隙とを組み合わせてもよい。
【００６８】
また、実施の形態２〜４のブラシ装置２００〜４００のブラシ保持部において、ブラシ保持部に形成された間隙は、中心軸Ｃに垂直な方向に延在していたが、中心軸Ｃを中心とする円筒の周方向に延在して形成されてもよい。
また、実施の形態１〜４では、スリップリング３０において３つのスリップリング板３２ａ、３２ｂ及び３２ｃが設けられていたが、これに限定されるものでなく、スリップリング板は、２つ以下であっても、４つ以上であってもよい。さらに、各スリップリング板に接触するブラシも３つに限定されるものでなく、２つ以下であっても、４つ以上であってもよい。
また、実施の形態１〜４では、回転電機１はダブルロータ型の回転電機であったが、これに限定されるものでなく、少なくとも１つのロータがあればよい。
【符号の説明】
【００６９】
１  回転電機、１１  第一ロータ（回転子）、５０  スリップリング（電気接続部）、１００〜４００  ブラシ装置、１０４〜１０６  ブラシ保持部、１０４ａ〜１０４ｃ，１０５ａ〜１０５ｃ，１０６ａ〜１０６ｃ，２０４ａ〜２０４ｃ，３０４ａ〜３０４ｃ，４０４ａ〜４０４ｃ  ブラシ保持部、１０４ａ５〜１０４ｃ５，１０５ａ５〜１０５ｃ５，１０６ａ５〜１０６ｃ５  貫通穴（開口部）、１０７〜１０９  ブラシ（ブラシ、ブラシ群）、１０７ａ〜１０７ｃ，１０８ａ〜１０８ｃ，１０９ａ〜１０９ｃ  ブラシ、２０４ａ５〜２０４ｃ５  間隙（開口部）、３０４ｄ，４０４ｄ  放熱フィン、Ｃ  回転中心軸。
【図１】
2014045623.tif 000003
【図２】
2014045623.tif 000004
【図３】
2014045623.tif 000005
【図４】
2014045623.tif 000006
【図５】
2014045623.tif 000007
【図６】
2014045623.tif 000008
【図７】
2014045623.tif 000009
【図８】
2014045623.tif 000010
【図９】
2014045623.tif 000011
【図１０】
2014045623.tif 000012